(57)【要約】      （修正有）【課題】並列させる庇パネルの連結・結合が、上下方向の荷重に対し充分な強度を保持するようにしながら、庇パネルの左右の側端縁に形成しておく係合部が、庇パネルの姿勢を前後に入れ換えても、同形の構造として庇パネルの側端部にくる建物用庇を提供する。【解決手段】建物躯体Ｂの外壁面ｂに取り付ける取付部材Ａに、庇パネルＤを、左右の両側に、前後方向視において同形に形成した嵌合突部ｄが左右に対称する形態で、それぞれ左右方向の外側に向けて張り出すように装備される形状に形成し、並列する庇パネルＤと庇パネルＤとの間に介装する中間連結材Ｎを、左右の両側部に前記庇パネルＤの両側部の嵌合突部の外周側にそれぞれ嵌合する嵌合凹部が、前後方向視において、同形で左右に対称する形態となってそれぞれ左右方向の外側に向け開口する形状に形成する。【選択図】図５
0003156964.tif 000002
【実用新案登録請求の範囲】
【請求項１】
建物躯体（Ｂ）の外壁面（ｂ）に、ボルト（Ｃ）により取り付ける取付部材（Ａ）に、アルミ材等の金属材で中空の短冊状に押出成形せる庇パネル（Ｄ）を幅方向に並列させて連結して組み立てる庇体（Ｆ）を、取付ボルト（Ｅ）により取り付けて、建物躯体に装設する建物用庇であって、前記中空の短冊状に押出成形する庇パネル（Ｄ）は、左右の両側に、前後方向視において同形に形成した嵌合突部（ｄ）が左右に対称する形態で、それぞれ左右方向の外側に向けて張り出すように装備される形状に形成し、この庇パネル（Ｄ）と隣合って並列する庇パネル（Ｄ）との間には、アルミ材等の金属材の押出成形により別に形成された中間連結材（Ｎ）を介装し、その中間連結材（Ｎ）は、左右の両側部に、前記庇パネル（Ｄ）の両側部の嵌合突部（ｄ）の外周側にそれぞれ嵌合する嵌合凹部（ｅ）を、前後方向視において、同形で左右に対称する形態となってそれぞれ左右方向の外側に向け開口するよう具備する形状に形成し、この中間連結材（Ｎ）の左右の嵌合凹部（ｅ）が、並列する庇パネル（Ｄ）の左右の嵌合突部（ｄ）の外周側に嵌り合って、並列する庇パネル（Ｄ）を一体的に連結する庇体（Ｆ）に組み立てていることを特徴とする建物用庇。
【請求項２】
並列させて庇体（Ｆ）を組み立てる中空の短冊状の庇パネル（Ｄ）の上面側に、庇パネル（Ｄ）の上壁面より下方に陥入する水路溝（Ｕ）を、該庇パネル（Ｄ）の長手方向に連続させて形成し、その水路溝（Ｕ）の先端側を、庇体（Ｆ）の先端側に組み付ける雨樋（Ｊ）の、庇体（Ｆ）に隣接する側の側壁部に接続連通し、雨樋（Ｊ）の上面側に、ごみよけの樋カバー（Ｓ）を装設することを特徴とする請求項１記載の建物用庇。
【請求項３】
並列させて庇体（Ｆ）を組み立てる短冊状の庇パネル（Ｄ）と庇パネル（Ｄ）との間に配位して並列する庇パネル（Ｄ）を連結する中間連結材（Ｎ）の上面側に、その中間連結材（Ｎ）の上面より下方に陥入する水路溝（Ｕ）を、その中間連結材（Ｎ）の長手方向に連続させて形設し、並列させる庇パネル（Ｄ）を連結する中間連結材（Ｎ）が、庇体（Ｆ）上の雨水を導く水路を兼ねるようにしたことを特徴とする請求項１記載の建物用庇。
【考案の詳細な説明】
【技術分野】
【０００１】
本考案は、建物躯体の外壁面に、取付部材を、ボルトにより取り付けて、その取付部材に、アルミ材等の軽金属材の押出成形で中空の短冊状の筒状体に成形して形成した庇パネルを巾方向に並列させて取り付けることで、建物躯体から張り出す庇体に組み立てる建物用庇についての改良に関する。
【背景技術】
【０００２】
建物躯体の外壁面に、取付部材をボルトにより取り付け、この取付部材に、アルミ材等の軽金属材で、中空の短冊状に押出成形して形成した庇パネルを、巾方向に並列させて取り付けることで、建物の外面から張り出す庇体に組み立て建物に装設する建物用庇は、従前のものにあっては、通常、図１にあるように、背面側を建物躯体Ｂの外壁面ｂに当接する縦方向の縦板部１０とその縦板部１０の前面側から前方に向け棚板状に突出する横板部１１とを具備する取付部材Ａを金属材により形成しておいて、この取付部材Ａを、縦板部１０に挿通するアンカーボルト等のボルトＣにより建物躯体Ｂの外壁面に取り付ける。次いで、この取付部材Ａの横板部１１の上面側に、図２及び図４にあるように、アルミ材等の軽金属材で中空の短冊状に成形しておいた庇パネルＤの基端側を載架し、その基端側に挿通した取付ボルトＥの頭部２０を、横板部１１の下面側に形設しておくレール状の嵌合部１３に嵌挿し、取付ボルトＥの先端側にナット２１を螺合して仮締めすることで、庇パネルＤの基端部が横板部１１の上面に沿い左右に自在にスライドするように、横板部１１に庇パネルＤを仮止めし、この作業を重ねることで、多数の庇パネルＤを巾方向に並列させて横板部１１に仮止めする。次いで、並列させた庇パネルＤを、隣接する庇パネル同志が密接するよう寄せ付けて、図３にあるように、各庇パネルＤの左右の両側縁部に左右に振り分けて設けておいた雄型の嵌合突部ｄと雌型の嵌合凹部ｅとを、一方の庇パネルＤの雄型の嵌合突部ｄが他方の庇パネルＤの雌型の嵌合凹部ｅに嵌り合うように係合させて結合させ、同時に、仮締めしておいた取付ボルトＥのナット２１を締結することで、並列させた庇パネルＤを一体的に連結させて、図４にあるように庇体Ｆに組み立てていき、これにより建物用庇を構成するようにしている。
【０００３】
この建物用庇は、取付部材Ａの横板部１１の上面に、各基端側を載架して巾方向に並列させた多数の中空の短冊状の庇パネルＤを、隣接する庇パネルＤ同志の結合により一体的に連結させて庇体Ｆに組み立てるのに、庇パネルＤの左右の両側縁部に、角片状に突出する係止片よりなる雄型の嵌合突部ｄと、この嵌合突部ｄと嵌り合う嵌合凹部状の雌型の嵌合凹部ｅとを、一側には雄型の嵌合突部ｄが存在し、他側には雌型の嵌合凹部ｅが存在するように、左右に振り分けて設けておき、この雄型の嵌合突部ｄと雌型の嵌合凹部ｅを、並列して隣接する庇パネルＤの左右の両側の雄型の嵌合突部ｄと雌型の嵌合凹部ｅとにそれぞれ対向させて突き合わせ、庇パネルＤを寄せることで嵌め合わせることで行うことから、並列させる庇パネルＤを、例えば、雄型の嵌合突部ｄが左側に位置するように、前後方向の姿勢を揃えて並列させていかないと、雄型の嵌合突部ｄが隣の庇パネルＤの雄型の嵌合突部ｄと対向するようになって、嵌め合い係合を不能にするので、建物躯体Ｂに取り付けた取付部材Ａに庇パネルＤを巾方向に並列させて取り付けるときに、庇パネルＤの状態姿勢を点検して、前端が前方に位置する姿勢に揃える操作・作業を要し、取り付け作業を厄介にする問題があり、また、庇パネルＤを取付部材を取付部材Ａに取付ボルトＥで取り付けるためのボルト挿通孔を、庇パネルＤの基端側に予め形設しておくときは、そのボルト挿通孔を、左右の雄型・雌型の嵌合部の存在位置との関係において誤りなく開設しなければならないので、この作業を厄介なものとする問題がある。
【０００４】
また、並列させた庇パネルＤ同志の連結・結合を、庇パネルＤの側端縁からそれぞれ側方に突出させた突出片で形成する雄型の嵌合突部ｄと、雌型の嵌合凹部ｅとの嵌め合いで行うことから、この連結・結合部分の上下方向の荷重に対する強度が充分でなく、特に、大きな荷重がかかる取付部材Ａの横板部１１の支承から離れた先端側では、この連結・結合部分にずれが生じて庇体Ｆが破損してくる問題がある。
【先行技術文献】
【特許文献】
【０００５】
【特許文献１】特開２００９−０９７３２６号公報
【考案の概要】
【考案が解決しようとする課題】
【０００６】
本考案において解決しようとする課題は、並列させる庇パネルの連結・結合が、上下方向の荷重に対し充分な強度を保持するようにしながら、庇パネルの左右の側端縁に形成しておく係合部が、庇パネルの姿勢を前後に入れ換えても、同形の構造として庇パネルの側端部に存在してくるようにして、庇パネルに取付ボルトの挿通用のボルト挿通孔を予め形設するときに、そのボルト挿通孔を、庇パネルの前後の何れの端部に開設してもよいようにし、庇パネルにボルト挿通孔を開設加工する加工作業の作業性を良好にするよう、建物用庇の庇パネルの連結構造を構成することにある。
【課題を解決するための手段】
【０００７】
上述の課題を解決するための手段として、本考案においては、建物躯体Ｂの外壁面ｂに、ボルトＣにより取り付ける取付部材Ａに、アルミ材等の金属材で中空の短冊状に押出成形せる庇パネルＤを幅方向に並列させて連結して組み立てる庇体Ｆを、取付ボルトＥにより取り付けて、建物躯体に装設する建物用庇であって、前記中空の短冊状に押出成形する庇パネルＤは、左右の両側に、前後方向視において同形に形成した嵌合突部ｄが左右に対称する形態で、それぞれ左右方向の外側に向けて張り出すように装備される形状に形成し、この庇パネルＤと隣合って並列する庇パネルＤとの間には、アルミ材等の金属材の押出成形により別に形成された中間連結材Ｎを介装し、その中間連結材Ｎは、左右の両側部に、前記庇パネルＤの両側部の嵌合突部ｄの外周側にそれぞれ嵌合する嵌合凹部ｅを、前後方向視において、同形で左右に対称する形態となってそれぞれ左右方向の外側に向け開口するよう具備する形状に形成し、この中間連結材Ｎの左右の嵌合凹部ｅが、並列する庇パネルＤの左右の嵌合突部ｄの外周側に嵌り合って、並列する庇パネルＤを一体的に連結する庇体Ｆに組み立てていることを特徴とする建物用庇を提起するものである。また、これに併せて、
前記建物用庇における並列させて庇体Ｆを組み立てる中空の短冊状の庇パネルＤの上面側に、庇パネルＤの上壁面より下方に陥入する水路溝Ｕを、該庇パネルＤの長手方向に連続させて形成し、その水路溝Ｕの先端側を、庇体Ｆの先端側に組み付ける雨樋Ｊの、庇体Ｆに隣接する側の側壁部に接続連通し、雨樋Ｊの上面側に、ごみよけの樋カバーＳを装設することを特徴とする建物用庇を提起し、さらに、
前記建物用庇における並列させて庇体Ｆを組み立てる短冊状の庇パネルＤと庇パネルＤとの間に配位して並列する庇パネルＤを連結する中間連結材Ｎの上面側に、その中間連結材Ｎの上面より下方に陥入する水路溝Ｕを、その中間連結材Ｎの長手方向に連続させて形設し、並列させる庇パネルＤを連結する中間連結材Ｎが、庇体Ｆ上の雨水を導く水路を兼ねるようにしたことを特徴とする建物用庇を提起するものである。
【考案の効果】
【０００８】
本考案による建物用庇は、並列させた庇パネルＤの連結・結合が庇パネルＤの左右の両側に形成した嵌合突部ｄと、並列する庇パネルＤと庇パネルＤとの間に介装する中間連結材Ｎの左右の両側に、前記嵌合突部ｄの外周側に嵌合するよう形成した嵌合凹部ｅとの嵌め合いによって行われるようにしてあることから、この並列する庇パネルＤの連結・結合部位における上下方向の荷重に対する強度が充分なものとなる。
【０００９】
そして、この庇パネルＤの左右の両側に形成した嵌合突部ｄ及び中間に介装する中間連結材Ｎの両側に形成した嵌合凹部ｅが、それぞれ左右に対称する同形に形成してあることから、庇パネルＤ・中間連結材Ｎの状態姿勢を、前後に入れ換えても、同形で同構造のものとして存在してくるので、庇パネルＤを、開設したボルト挿通孔を基準に並列させ、その庇パネルＤと庇パネルＤとの間に、中間連結材Ｎを介装して取付部材Ａに取り付けるときに、中間連結材Ｎの姿勢が、前後に入れ換わってもよくなり、取付部材Ａに対する取付作業の作業性を良好にする。
【００１０】
また、庇パネルＤに取付ボルトＥによる取り付けのためのボルト挿通孔を、予め開設しておくときは、そのボルト挿通孔を、庇パネルＤの基端側（後端側）と先端側（前端側）の何れに開設してもよいので、この取り付けのためのボルト挿通孔の開設加工作業の作業性を良好にする。
【００１１】
また、庇パネルＤの上面側に、水路溝Ｕを庇パネルＤの長手方向に沿い形成し、その水路溝Ｕの先端側を、組み立てた庇体Ｆの先端側に組み付ける雨樋Ｊの庇体Ｆ側の側壁部に連通させておくときは、雨樋Ｊの上面側の開放口を樋カバーＳで閉塞した態様にできる。
【００１２】
また、中間連結材Ｎの上面側に水路溝Ｕを形成しておくときは、庇体Ｆの上面の雨水を、中間連結材Ｎが誘導するようになる。
【図面の簡単な説明】
【００１３】
【図１】従前の建物用庇の、建物躯体の外壁面に取り付けた状態における取付部分の縦断側面図である。
【図２】同上建物用庇の、取付部材の上面側に並列させて載架した庇パネルの縦断した正面図である。
【図３】同上建物用庇の、同上状態の庇パネルを、側面に形設した雄型の嵌合突部と、雌型の嵌合凹部との嵌合により連結・結合させた状態における縦断した正面図である。
【図４】同上建物用庇の、庇パネルを並列させて取付部材に取り付けて組み立てる庇体の斜視図である。
【図５】本考案による建物用庇の、建物躯体の外壁面に取り付けた状態における一部破断した斜視図である。
【図６】同上建物用庇の、取付基端部分の各部材の取り付け施工前の状態における側面図である。
【図７】同上建物用庇の取付基端部分の、建物躯体に取り付けた状態における縦断側面図である。
【図８】同上建物用庇の取付基端部分に角度変更部材を組み合わせて、建物躯体に取り付けた状態時における縦断側面図である。
【図９】同上建物用庇の、庇パネルの正面図である。
【図１０】同上建物用庇の、中間連結部材の正面図である。
【図１１】同上建物用庇の、庇パネルと中間連結部材とで組み立てた庇体の縦断正面図である。
【図１２】同上建物用庇の庇体の側端縁に取り付ける端部カバーの正面図である。
【図１３】同上建物用庇の、前端縁に取り付ける雨樋の取付状態を説明する縦断側面図である。
【図１４】同上建物用庇を組み立てる各部材の、取付工程に従い配置した状態の斜視図である。
【考案を実施するための形態】
【００１４】
次に本考案の実施の態様を、実施例につき図面に従い詳述する。
【実施例１】
【００１５】
図５は、本考案を実施せる建物用庇の、建物躯体の外壁面に取り付け施工した状態の一部破断した斜視図である。同図において、Ｂは建物躯体で外壁面ｂの一部を示している。Ａは建物躯体Ｂの外壁面ｂに、アンカーボルト等のボルトＣの打ち込みにより取り付けた取付部材、Ｄは、アルミ材等の金属材の押出成形により中空の短冊状のパネルに成形した庇パネル、Ｎは、並列させる庇パネルＤと庇パネルＤとの間に介装した中間連結材、Ｅは庇パネルＤの基端側を取付部材Ａの横板部１１の下面側に取り付けている取付ボルト、Ｆは庇パネルＤを巾方向に並列させて取付部材Ａに取り付けることで組み立てられた庇体、Ｉは庇体Ｆの左右の側端部に取り付けた端部カバー、Ｊは庇体Ｆの先端縁に取り付けた雨樋、Ｓは雨樋Ｊの開放口に取り付けた樋カバー、Ｋは取付部材Ａの上面側に設けた化粧カバーを示す。
【００１６】
取付部材Ａは、図５の斜視図および図６の側面図および図７の取付状態の縦断側面図にあるように、背面側が建物躯体Ｂの外壁面ｂに当接する垂直面に沿う平らな板面で、前面側が背面側の板面に平行する板面に形成してある縦板部１０と、その縦板部１０の前面側の上下の略中間部位から前方に向け略水平な棚板状に突出する横板部１１とで、側面視において横向きの略Ｔ字形をなす形状に成形してあり、かつ、この形状を断面形状として左右方向に連続する長尺材に形成してある。
【００１７】
この横向きのＴ字形をなす取付部材Ａの横板部１１には、それの下面側に、庇パネルＤの基端部の上面側を当接して取付ボルトＥによる締結により庇パネルＤを取り付けるための取付座１２が形成してある。そして、この取付座１２には、庇パネルＤに挿通した取付ボルトＥの頭部２０を嵌合せしめて、その頭部２０を横板部１１に対し係着させるための嵌合部１３が、横板部１１の突出端側に寄る部位における横板部１１の上面側に形設してある。この嵌合部１３は、この実施例のものにおいては、下面側に開放する断面アリ溝状の形状で、左右方向に連続する嵌合溝に形成してある。
【００１８】
取付ボルトＥの頭部２０には、金属材よりなる長方形状の組付座板２２が、一体に固着させて付設してある。取付ボルトＥを庇パネルＤに上面側から挿通した状態において、庇パネルＤの基端側の上面を、取付座１２に当接させて、取付ボルトＥの頭部２０を、取り付けてある組付座板２２の短辺側が左右方向に沿う状態姿勢として、嵌合部１３内に突入させ、その状態で、取付ボルトＥを、旋回させて、組付座板２２が嵌合部１３の開放口の前後の口縁間に渡架された状態とすることで係止される状態になり、この状態において取付ボルトＥの下端側に座金２３を介してナット２１を螺合し、締め込むことで、取付部材に対する庇パネルＤの締結・取り付けが完了し、庇パネルＤは、取付部材Ａの横板部１１の下面側に吊り下げ状態として取り付けられるようになる。
【００１９】
取付部材Ａの縦板部１０の下端側には、下部カバーＬを取り付けるための、取付台１４を設けている。この取付台１４には、下部カバーＬを取り付けるためのビス１５を打ち込むビスホール１４０が設けられる。また、縦板部１０の上端側と横板部１１の前端側には、化粧カバーＫを係着させる係止部１６・１６が設けられ、横板部１１の上面側で、嵌合部１３の上面側には、取付ボルトＥの頭部２０及び取付座板２２を覆い込む覆い部１７が設けられる。
【００２０】
また、この取付部材Ａは、庇パネルＤを巾方向に並列させて取り付けることで組み立てる庇体Ｆが、先端下りの庇となるように構成してあるもので、横板部１１は、縦板部１０に対し、９０度＋２度の９２度の角度（α）で前方に突出するよう成形してあり、これにより、縦板部１０が垂直な建物躯体Ｂの外壁面ｂに取り付けられたときに、横板部１１が２度の勾配を保持して前方に突出し、この横板部１１の下面側に巾方向に並列させて取り付ける庇パネルＤにより組み立てられる庇体Ｆを、２度の勾配で先端下りとなるようにしている。
【００２１】
図６において、右端側に記載している部材Ｍは、上述の取付部材Ａを、それに取り付けた庇体Ｆが、先端上りの勾配を保持した状態姿勢となるように変更させる角度変更部材である。この角度変更部材Ｍは、図８に示しているように、取付部材Ａに対し、それの縦板部１０の背面側に、その縦板部１０と並列・重合した状態姿勢として、一体的に結合させて組み付け、取付部材Ａを、建物躯体Ｂの外壁面ｂに当接して取り付けるときに、この角度変更部材Ｍが、取付部材Ａの縦板部１０に換わって建物躯体Ｂの外壁面ｂに当接し、アンカーボルトＣによる取付で、取付部材Ａの取り付けがこの角度変更部材Ｍにより行われるように変更させる。
【００２２】
この角度変更部材Ｍは、取付部材Ａの縦板部１０の背面側に一体的に組み付けたとき、縦板部３の下端部位の係止突起３２が、横板部３１により、縦板部３の上端部の係止部３０よりも前方に偏位していることで、組み付けた取付部材Ａの、縦板部１０を、係止突起３２の前方偏位分だけ、後方に向け傾斜した状態姿勢に支持するようになる。そして、この傾斜した姿勢の縦板部１０から突出する横板部１１は、建物躯体Ｂの外壁面ｂに当接するよう、垂直な面に沿わせた角度変更部材Ｍの背面を基準として、上向きの勾配となる角度（α）で突出する状態とする。
【００２３】
この実施例では、角度変更部材Ｍの縦板部３と、これに組み付けた取付部材Ａの縦板部１０との間に、４度の角度（α）が形成されるように、係止突起３２の前方偏位置を設定してあり、２度の下向き勾配に設定してある取付部材Ａの横板部１１を、４度上方に振らせることで、２度の上向き勾配に変更させた状態とするようにしてある。
【００２４】
庇パネルＤは、アルミ材等の金属材の押出成形により一定の断面形状で中空の短冊状に連続するパネルに成形した通常のもので、その断面形状は所望の形状に構成してよいものであるが、この例においては、図９にあるように、長手方向視となる正面視において、上下の巾より左右の巾が広い扁平な四角形の左右の上隅部を、斜めに切除したように、天井壁４０を左右の両端側がそれぞれ下降傾斜する傾斜壁４１として倒立する皿状に形成し、底壁４２の両端から立ち上る左右の側壁４３を、底壁４２の左右の巾寸法の略半分の高さ寸法として、扁平な台形をなす形状で、前後方向に連続する筒状体４が、隣接する筒状体４の側壁４３を共有させた状態で、巾方向に三連に並列結合せしめた形態のものとして、成形してある。
【００２５】
この上面の天井壁４０を正面視で倒立する皿状に形成した扁平な台形状の断面形状で長手方向（前後方向）に連続する筒状体４を三連に並列せしめた形態に成形してある庇パネルＤは、左右の両端に位置する筒状体４の天井壁４０及び４２の各外端側に位置する略半分の部分が、天井壁４０・底壁４２の厚さ分だけ内側にずれ込む段部４４を形成していて、この段部４４と側壁４３とにより、庇パネルＤを多連に並列させて庇体Ｆに組み立てるときの嵌合突部ｄを形成している。
【００２６】
庇パネルＤを並列組み合わせて庇体Ｆに組み立てるために、庇パネルＤの左右の両側端部に形成する嵌合突部ｄは、図９にあるように、同形で左右に対称するように形成してあり、これにより、取付部材Ａに庇パネルＤを取り付けるときの、その庇パネルＤの姿勢が、前後に入れ換わるよう１８０度旋回させた状態であっても、同形で同構造の嵌合突部ｄが左右の両側端部に存在するようにしてある。
【００２７】
この嵌合突部ｄは凸の雄型であり、並列させる庇パネルＤの連結は、この雄型の嵌合突部ｄに嵌り合う雌型の嵌合凹部ｅを、左右の両側に具備する中間連結材Ｎを用いて行うようにしている。
【００２８】
中間連結材Ｎは、図１０に示しているように、庇パネルＤの三連に並列する筒状体４の底壁４２に略対応する巾の底壁５０の上面の左右の中間部位から、筒状体４の側壁４３に対応する高さに立ち上る縦壁５１と、その縦壁５１の上端から、左右に振り分けられて筒状体４の傾斜壁４１に対応する長さで、斜めに立ち上る傾斜壁５２と、その左右の傾斜壁５２の各上端から、筒状体４の段部４４に対応する長さでそれぞれ左右に水平に張り出す天板５３とで、全体として、底壁５０の上面にＹ字形連続する形状に形成してあって、これにより左右の両側に、前記庇パネルＤの左右の両側に形設した凸の嵌合部ｄの外側に嵌合する凹の嵌合部ｅを、同形で左右に対称するように装備せしめている。
【００２９】
庇パネルＤは、それの基端側に開設しておいたボルト挿通孔４５に挿通した取付ボルトＥの頭部２０を、取付部材Ａの横板部１１に設けた嵌合部１３に嵌合させた状態として、取付部材Ａの横板部１１に並列支架し、かつ、庇パネルＤとの間に中間連結材Ｎを介装しておいて、巾方向に寄せ付けることで、庇パネルＤの嵌合突部ｄとの中間連結材Ｎの嵌合凹部ｅとの嵌合により、図１１に示しているように、巾方向に並列して一体的に連結する庇体Ｆに組み立てられる。
【００３０】
庇体Ｆの左右の側端縁に取り付けられる端部カバーＩは、図１２及び前記図９で鎖線で示しているように、庇パネルＤの底壁４２に形成した段部４４に対応する長さの底壁６０と、その底壁６０の一端側から庇パネルＤの高さ寸法に対応する高さに立ち上る縦板部６１と、その縦板部６１の上端から前記底壁６０と平行するように突出する天板６２とで、外周面の形状が、正面視において、横向きのチャンネル状をなす半截した筒状体に成形してあり、それの内周面側には、図１２において鎖線に示しているように、前記中間連結材Ｎの内周面側に形設した雌型の嵌合凹部ｅと同形の雌型の嵌合部ｆが形設してある。この端部カバーＩは、内周面側に形設した雌型の嵌合部ｆを、庇パネルＤの側端の雄型の嵌合突部ｄの外周側に前記図９において鎖線に示しているように嵌め込むことで、庇体Ｆの側端縁に組み付けられる。
【００３１】
庇体Ｆの先端縁に取り付ける雨樋Ｊは、図１３で示しているように、断面形状がチャンネル状をなす通常の形状をなすものであるが、この例においては、後面側の壁板７０を、それの上端縁が、庇パネルＤの上面側に形成されるＶ字状の溝Ｕの底部に対応する高さ位置を占めるよう、前面側の壁板７１よりも低く形成し、かつ、その後面側の壁板７０の上端縁には、後方に延出する取付板７２を設けておいて、この取付板７２を、横向きのチャンネル状に形成して、庇体Ｆの前端面で、前記Ｖ字状の溝Ｕの谷底部より下った位置に組み付ける雨樋取付部材７３の上面に組み付けることで、庇体Ｆの上面側に形成されるＶ字状の溝Ｕを流れてくる雨水が、雨樋Ｊ内に流れ込むようにしている。
【００３２】
このため、雨樋Ｊは、それの上面側の開放口７４を、図１４にあるように樋カバーＳにより閉塞しておいても、庇体Ｆ上の雨水がＶ字状の溝Ｕにより雨樋Ｊ内に流れ込むので、樋カバーＳにより落葉や塵埃の入らない閉塞型にできるようになる。
【００３３】
この実施例の建物用庇は、並列させた庇パネルＤを中間連結材Ｎを介して連結・結合させるために、庇パネルＤの左右の両側縁に装備せしめた嵌合突部ｄと中間連結材Ｎの左右の両側に装設した嵌合凹部ｅとが、庇パネルＤの両側と中間連結材Ｎの両側とにそれぞれ、前後方向視において同形で左右に対称するように、設けてあることから、庇パネルＤと中間連結材Ｎを、前端が後端となるように、状態姿勢を入れ換えても、左右の両側に、同形・同構造のものとして存在してくるようになるので、庇パネルＤと中間連結材Ｎを取付部材Ａに取り付ける作業の際に、庇パネルＤ及び中間連結材Ｎの前後の状態姿勢を気にせずに作業ができて、作業性を良くする。
【００３４】
また、庇パネルＤの端部で形成する嵌合突部ｄの外周面に、中間連結材Ｎの嵌合凹部ｅが嵌合することで、嵌合突部ｄと嵌合凹部ｅとが互いに補強し合う状態となって連結が行われるようになり、連結部分の上下方向における荷重に対する強度を充分なものとする。
【符号の説明】
【００３５】
Ａ    取付部材
Ｂ    建物躯体
Ｃ    ボルト
Ｄ    庇パネル
Ｅ    取付ボルト
Ｆ    庇体
Ｉ    端部カバー
Ｊ    雨樋
Ｋ    化粧カバー
Ｌ    下部カバー
Ｍ    角度変更部材
Ｎ    中間連結材
Ｓ    樋カバー
Ｕ    水路溝
ｂ    外壁面
ｄ    嵌合突部
ｅ    嵌合凹部
ｆ    雌型の嵌合部
１０    縦板部
１１    横板部
１２    取付座
１３    嵌合部
１４    取付台
１４０    ビスホール
１５    ビス
１６    係止部
１７    覆い部
２０    取付ボルトの頭部
２１    ナット
２２    組付座板
２３    座金
３    縦板部
３０    係止部
３１    横板部
３２    係止突起
４    筒状体
４０    天井壁
４１    傾斜壁
４２    底壁
４３    側壁
４４    段部
４５    ボルト挿通孔
５０    底壁
５１    縦壁
５２    傾斜壁
５３    天板
６０    底壁
６１    縦板部
６２    天板
７０    後面側の壁板
７１    前面側の壁板
７２    取付板
７３    雨樋取付部材
７４    開放口
【図１】
0003156964.tif 000003
【図２】
0003156964.tif 000004
【図３】
0003156964.tif 000005
【図４】
0003156964.tif 000006
【図５】
0003156964.tif 000007
【図６】
0003156964.tif 000008
【図７】
0003156964.tif 000009
【図８】
0003156964.tif 000010
【図９】
0003156964.tif 000011
【図１０】
0003156964.tif 000012
【図１１】
0003156964.tif 000013
【図１２】
0003156964.tif 000014
【図１３】
0003156964.tif 000015
【図１４】
0003156964.tif 000016
【手続補正書】
【提出日】平成21年11月25日(2009.11.25)
【手続補正１】
【補正対象書類名】実用新案登録請求の範囲
【補正対象項目名】請求項１
【補正方法】変更
【補正の内容】
【請求項１】
建物躯体（Ｂ）の外壁面（ｂ）に、ボルト（Ｃ）により取り付ける取付部材（Ａ）に、アルミ材等の金属材で中空の短冊状に押出成形する庇パネル（Ｄ）を幅方向に並列させて連結して組み立てる庇体（Ｆ）を、取付ボルト（Ｅ）により取り付けて、建物躯体に装設する建物用庇であって、前記中空の短冊状に押出成形する庇パネル（Ｄ）は、左右の両側に、前後方向視において同形に形成した嵌合突部（ｄ）が左右に対称する形態で、それぞれ左右方向の外側に向けて張り出すように装備される形状に形成し、この庇パネル（Ｄ）と隣合って並列する庇パネル（Ｄ）との間には、アルミ材等の金属材の押出成形により別に形成された中間連結材（Ｎ）を介装し、その中間連結材（Ｎ）は、左右の両側部に、前記庇パネル（Ｄ）の両側部の嵌合突部（ｄ）の外周側にそれぞれ嵌合する嵌合凹部（ｅ）を、前後方向視において、同形で左右に対称する形態となってそれぞれ左右方向の外側に向け開口するよう具備する形状に形成し、この中間連結材（Ｎ）の左右の嵌合凹部（ｅ）が、並列する庇パネル（Ｄ）の左右の嵌合突部（ｄ）の外周側に嵌り合って、並列する庇パネル（Ｄ）を一体的に連結する庇体（Ｆ）に組み立てていることを特徴とする建物用庇。